(57)【要約】【課題】容器自体に餅飾り機能を持たせた鏡餅用容器を提供すること。【解決手段】四枚の側面板（１１、１２、１３、１４）と、この側面板の一枚に連設されると共に隣接する側面板に貼着される糊代片（１５）と、一枚の側面板の上部端縁に連設された天面板（１１１）と、二枚の側面板の上部端縁に連設された舌片（１２１、１４１）と、四枚に側面板の下部端縁に連設された底面板を形成する底板片（１６１、１６２、１６３、１６４）から構成される紙製包装容器であって、紙製包装容器を構成する四枚の側面板と二枚の舌片と一枚の天面板の各々の裏面には、それぞれ収納物装飾用の飾り片（ａ、ｂ、ｃ、ｄ、ｅ、ｆ、ｇ、ｈ）が印刷形成されている。【選択図】図１
2004131090.tif 000002
【特許請求の範囲】
【請求項１】
四枚の側面板と、この側面板の一枚に連設されると共に隣接する側面板に貼着される糊代片と、一枚の側面板の上部端縁に連設された天面板と、二枚の側面板の上部端縁に連設された舌片と、前記四枚に側面板の下部端縁に連設された底面板を形成する底板片から構成される紙製包装容器であって、
該紙製包装容器を構成する四枚の側面板と、二枚の舌片と、一枚の天面板の各々の裏面には、それぞれ収納物装飾用の飾り片が印刷形成されていることを特徴とする紙製包装容器。
【請求項２】
前記四枚の側面板の各底板片が連設されている側の表面端縁近傍で裏面の印刷形成された飾り片と重ならない位置に、横方向の折り曲げ線と平行な切り取り指示線が設けられていることを特徴とする請求項１記載の紙製包装容器。
【請求項３】
前記装飾組み立て箱が鏡餅装飾用の宝船飾り用であることを特徴とする請求項１又は２記載の紙製包装容器。
【発明の詳細な説明】
【０００１】
【発明の属する技術分野】
本発明は１枚のブランクシートから組み立てられる収納物装飾用の包装容器に関するものであり、特には、鏡餅容器にアフターユース性を持たせたもので、鏡餅用容器自体を利用して宝船飾りが簡単に組み立てでき、鏡餅飾りとして独自性をもたせた紙製包装容器に関する。
【０００２】
【従来の技術】
従来、鏡餅用容器は、容器の中に鏡餅と一緒に餅飾りが別部材として同梱されているが、この方法ではコスト面および作業性の困難さ等多少の問題を残していた。
【０００３】
【発明が解決しようとする課題】
本発明は、鏡餅用容器に関する以上のような問題点を解決するためになされたもので、容器自体に餅飾り機能を持たせた鏡餅用容器を提供することを課題とする。
【０００４】
【課題を解決するための手段】
本発明の請求項１の発明は、四枚の側面板と、この側面板の一枚に連設されると共に隣接する側面板に接続する糊代片と、一枚の側面板の上部端縁に連設された天面板と、二枚の側面板の上部端縁に連設された舌片と、前記四枚に側面板の下部端縁に連設された底面を形成する底板片から構成される紙製包装容器であって、該紙製包装容器を構成する四枚の側面板と、二枚の舌片と、一枚の天面板の各々の裏面には、それぞれ収納物装飾用の飾り片が印刷形成されていることを特徴とする紙製包装容器である。
【０００５】
このように請求項１に記載の発明によれば、四枚の側面板と、二枚の舌片と、一枚の天面板の各々の裏面には、それぞれ収納物装飾用の飾り片が印刷形成されているので、例えば、紙製包装容器の四枚の側面板を側面板の下方で、包装容器の底面近傍を底面と略平行に切り取り、前記飾り片を切り取った底面の周縁に残った各側面板の端縁に差し込むことにより、包装容器は底面に収納物を置いて底面の周囲を綺麗に装飾した装飾組み立て箱として再利用することができる。
【０００６】
また、請求項２の発明は、請求項１の発明において、前記四枚の側面板の各底板片が連設されている側の表面端縁近傍で裏面の印刷形成された飾り片と重ならない位置に、横方向の折り曲げ線と平行な切り取り指示線が設けられていることを特徴とする紙製包装容器である。
【０００７】
このように請求項２記載の発明によれば、四枚の側面板の各底板片が連設されている側の表面端縁近傍で裏面の印刷形成された飾り片と重ならない位置に、横方向の折り曲げ線と平行な切り取り指示線が設けられているので、この切り取り指示線に沿って四枚の側面板を容器から切り離すことにより、各飾り片を分断等することなく、容器から四枚の側面板を切り離すことができる。
【０００８】
また、請求項３の発明は、請求項１又は２の発明において、前記装飾組み立て箱が鏡餅装飾用の宝船飾り用であることを特徴とする紙製包装容器である。
【０００９】
【発明の実施の形態】
本発明の紙製包装容器を一実施形態に基づいて以下に詳細に説明する。
本発明の紙製包装容器は、例えば、図１、図２に示すように、四枚の側面板（１１、１２、１３、１４）と、この側面板の一枚に連設されると共に隣接する側面板に接続する糊代片（１５）と、一枚の側面板の上部端縁に順次連設された天面板（１１１）と差し込み片（１１２）と、二枚の側面板の上部端縁に連設された舌片（１２１、１４１）と、前記四枚に側面板の下部端縁に連設された底板（１６）を形成する底板片（１６１、１６２、１６３、１６４）から構成される紙製包装容器（１０）である。
【００１０】
そして、紙製包装容器を構成する四枚の側面板と、二枚の舌片と、一枚の天面板の各々の裏面には、それぞれ収納物装飾用の飾り片（ａ〜ｈ）が印刷形成されている。
以下に、正月などに飾る鏡餅を収納する紙製包装容器を例にして詳細に説明する。
図２は、正月に使用する鏡餅用の紙製包装容器のブランクシートの裏面の展開図である。
【００１１】
側面板（１２、１３）の、組み立て時に鋏等で切断する箇所より上の部分には、折り曲げ線を介して舟の模様をした飾り片（ａ）と、飾り片（ａ）の上の空いてる部分には波の模様をした飾り片（ｂ、ｃ）が印刷されている。
【００１２】
飾り片（ａ）の下縁には、飾り片（ｂ、ｃ）や底板から垂設された切断した側面板に差し込むための切り込み線（ｓ）が適宜穿設されている。
【００１３】
側面板（１４）と折り曲げ線を介して側面板（１４）に連設している舌片（１４１）には、七福神を描いた飾り片（ｄ）が印刷されている。
飾り片（ｄ）の下縁には、底板から垂設された切断した側面板に差し込むための切り込み線（ｓ）が適宜穿設されている。また、飾り片（ｄ）の上縁には、後記する飾り片（ｅ）を差し込むための切り込み線（ｓ）が適宜穿設されている。
【００１４】
側面板（１２）に連設された舌片（１２１）には、宝船の帆を描いた飾り片（ｅ）が印刷されている。
飾り片（ｅ）の下縁には飾り片（ｄ）に差し込むための切り込み線（ｓ）が穿設されている。
【００１５】
側面板（１１）に連設された天面板（１１１）には、一対の門松を描いた飾り片（ｆ）が印刷されている。
【００１６】
側面板（１１）には、珊瑚を描いた２つの前部分の飾り片（ｇ、ｈ）が印刷されている。
飾り片（ｇ、ｈ）の下縁には底板から垂設された切断した側面板に差し込むための切り込み線（ｓ）が適宜穿設されている。
【００１７】
側面板の切り取って残った部分とそれに連設する底板片にはそれぞれ必要箇所に木目模様が印刷されている（図１の斜線で示した部分）。
【００１８】
このようにして作製されたブランクシート（勿論ブランクシートの表側には必要デザインの印刷模様、例えば、決められた原材料名表示、飾りの作り方等々が施されている）を一般的な方法により組み立て、紙製包装容器とする。
紙製包装容器（１０）には、鏡餅等の内容物を収納することができる。
【００１９】
その後の使用方法を上記鏡餅を例にして詳述する。
すなわち、先ず、内容物である鏡餅を紙製包装容器から取り出し、側面板の底板寄り近傍に表示されている切り取り指示線（図示せず）に沿って、各側面板を切り取る。
【００２０】
ついで、切り取った各側面板の裏面に印刷形成されている飾り片（ａ）〜（ｈ）を側面板から切り離す。
【００２１】
側面板が切り離された包装容器（底板）に内容物である鏡餅を載置し、側面板の表面に表示さている宝船飾りの作り方に沿って、切り離した飾り片（ａ）〜（ｈ）を順次鏡餅を載せた包装容器（底板）の残った側面板の端縁に切り込み線（ｓ）使用して差し込み、図２に示すような、宝船飾りに組み立てる。
【００２２】
【発明の効果】
上記のように、本発明の紙製包装容器は、一枚の紙の表裏を有効活用することによるペーパークラフト立体物を切り込み、折り込み、差し込み等によって完成させることができ、別部材を使用しないので、コスト低減がはかれる。
表裏の紙面全体を有効活用させ、かつ、全ての面を利用してペーパークラフトの立体物が完成できる。
ペーパークラフトによる飾りの後処理の分別廃棄が容易な容器である。
独自性の餅飾りで家族誰でも楽しく組み立てられる。
【図面の簡単な説明】
【図１】本発明の紙製包装容器に使用するブランクシートの一実施例を示す、裏面から見た平面説明図である。
【図２】本発明の紙製包装容器を使用後、再度組み立てた状態の一実施例を示す、斜視説明図である。
【符号の説明】
１０‥‥紙製包装容器
１１‥‥側面板
１２‥‥側面板
１３‥‥側面板
１４‥‥側面板
１５‥‥糊代片
１６‥‥底板
１１１‥‥天面板
１１２‥‥差し込み片
１２１‥‥舌片
１４１‥‥舌片
１６１‥‥底板片
１６２‥‥底板片
１６３‥‥底板片
１６４‥‥底板片
ａ‥‥飾り片（舟）
ｂ‥‥飾り片（波）
ｃ‥‥飾り片（波）
ｄ‥‥飾り片（七福神）
ｅ‥‥飾り片（帆）
ｆ‥‥飾り片（一対の門松）
ｇ‥‥飾り片（前部分）
ｈ‥‥飾り片（前部分）
ｓ‥‥切り込み線
【図１】
2004131090.tif 000003
【図２】
2004131090.tif 000004